(57)【要約】【課題】    本発明の目的は、粉末の量の調整を容易に行うことができる粉末容器を提供するものである。【解決手段】    粉末容器Ｃは、先端に開口部１ａを有すると共に、内部に粉末６を収納する収納部１ｂを備えた容器本体１と、この容器本体１の開口部１ａを覆うと共に、開口部１ａの内周壁１ｃに装着され、第１の開口部２ａを有した載置台２と、先端に粉末６の出口である出口開口部３ａを有すると共に、開口部１ａの外周壁１ｂに装着され、載置台２を覆うカバー体３と、このカバー体３内を移動し、第１の開口部２ａを開閉する移動体４とを備え、開口部１ａの大きさ＞出口開口部３ａの大きさ＞第１の開口部２ａの大きさである。【選択図】図３
2019218097.tif 000002
【特許請求の範囲】
【請求項１】
先端に開口部を有すると共に、内部に粉末を収納する収納部を備えた容器本体と、
この容器本体の前記開口部を覆うと共に、前記開口部の内周壁に装着され、第１の開口部を有した載置台と、
先端に前記粉末の出口である出口開口部を有すると共に、前記開口部の外周壁に装着され、前記載置台を覆うカバー体と、
このカバー体内を移動し、前記第１の開口部を開閉する移動体とを備え、
前記開口部の大きさ＞前記出口開口部の大きさ＞前記第１の開口部の大きさ
である
ことを特徴とする粉末容器。
【請求項２】
載置台に手で摘む摘み部が突出して形成されている
ことを特徴とする請求項１記載の粉末容器。
【請求項３】
先端に開口部を有すると共に、内部に粉末を収納する収納部を備えた容器本体と、
この容器本体の前記開口部を覆うと共に、前記開口部の内周壁に装着され、第１の開口部を有した載置台と、
先端に前記粉末の出口である出口開口部を有すると共に、前記開口部の外周壁に装着され、前記載置台を覆うカバー体と、
このカバー体内を移動し、前記第１の開口部を開閉する球状の移動体とを備え、
前記開口部の大きさ＞前記出口開口部の大きさ＞前記第１の開口部の大きさ
であり、
前記容器本体を移動させて、前記球状の移動体を移動させることにより、粉末の量の調整を図る
ことを特徴とする粉末の量の調整方法。
【発明の詳細な説明】
【技術分野】
【０００１】
本発明は、粉末容器及び粉末の量の調整方法に係り、特に、粉末の量の調整を容易に行うことができる粉末容器及び粉末の量の調整方法に関する。
【背景技術】
【０００２】
本件発明者は、先に、先端に開口部（１ａ）を有すると共に、内部に飲料又は食材の粉末を収納する収納部（１ｂ）を備えた容器本体（１）と、この容器本体（１）の開口部（１ａ）を覆い、先端に粉末（４）の出口である出口開口部を有したカバー体（２）とを備え、このカバー体（２）は、弾性変形できる部材で形成されている粉末容器（Ｃ）（例えば、特許文献参照）を開示した。
【先行技術文献】
【特許文献】
【０００３】
【特許文献１】特許第５６９５３７６号公報
【発明の概要】
【発明が解決しようとする課題】
【０００４】
しかしながら、上記粉末容器にあっては、粉末の大きさが小さくなると、カバー体の先端の出口開口部から粉末が急激に流出し、粉末の量の調整がしづらいという問題点が生じた。
【０００５】
本発明は、上記問題点を考慮したなされた粉末容器及び粉末の量の調整方法を提供することを目的とする。
【課題を解決するための手段】
【０００６】
請求項１記載の粉末容器は、先端に開口部を有すると共に、内部に粉末を収納する収納部を備えた容器本体と、この容器本体の前記開口部を覆うと共に、前記開口部の内周壁に装着され、第１の開口部を有した載置台と、先端に前記粉末の出口である出口開口部を有すると共に、前記開口部の外周壁に装着され、前記載置台を覆うカバー体と、このカバー体内を移動し、前記第１の開口部を開閉する移動体とを備え、前記開口部の大きさ＞前記出口開口部の大きさ＞前記第１の開口部の大きさである。
【０００７】
また、請求項２記載の粉末容器は、請求項１記載の粉末容器において、載置台に手で摘む摘み部が突出して形成されているものである。
【０００８】
また、請求項３記載の粉末の量の調整方法は、先端に開口部を有すると共に、内部に粉末を収納する収納部を備えた容器本体と、この容器本体の前記開口部を覆うと共に、前記開口部の内周壁に装着され、第１の開口部を有した載置台と、先端に前記粉末の出口である出口開口部を有すると共に、前記開口部の外周壁に装着され、前記載置台を覆うカバー体と、このカバー体内を移動し、前記第１の開口部を開閉する球状の移動体とを備え、前記開口部の大きさ＞前記出口開口部の大きさ＞前記第１の開口部の大きさであり、前記容器本体を移動させて、前記球状の移動体を移動させることにより、粉末の量の調整を図るものである。
【発明の効果】
【０００９】
請求項１記載の粉末容器によれば、移動体により第１の開口部を開閉するため、粉末の量の調整を容易に行うことができる。
【００１０】
また、請求項２記載の粉末容器によれば、上述した請求項１記載の発明の効果に加え、突出して形成された摘み部により、載置台を容器本体へ容易に脱着することができる。
【００１１】
また、請求項３記載の粉末の量の調整方法によれば、球状の移動体を移動させることにより、第１の開口部を開閉するため、粉末の量の調整を容易に行うことができる。
【図面の簡単な説明】
【００１２】
【図１】図１は、本発明の一実施例の粉末容器の概略的断面図である。
【図２】図２は、図１の粉末容器を分解して示す概略的分解斜視図である。
【図３】図３は、図１の粉末容器の使用状態を示す概略的図である。
【図４】図４は、図３の一部を拡大して示す概略的図である。
【発明を実施するための形態】
【００１３】
本発明の一実施例の粉末容器及び粉末の量の調整方法を図面（図１乃至図４）を参照して説明する。
図１に示すＣは粉末容器で、粉末容器Ｃは、図１及び図２に示すように、容器本体１
、載置台２、カバー体３、移動体４、蓋体５を備えている。
【００１４】
容器本体１は、図２に示すように、先端に開口部１ａを有すると共に、内部に粉末６（粉末６は、食材、調味料等、例えば、ジャスミン茶の粉末である。）を収納する収納部１ｂを備えている。
なお、開口部１ａは、例えば、直径６ｍｍの円孔である。
【００１５】
載置台２は、容器本体１の開口部１ａを覆うと共に、開口部１ａの内周壁１ｃに装着され、第１の開口部２ａを有している。載置台２には、手で摘む摘み部２ｂが突出して形成されている。摘み部２ｂにより、載置台２を容器本体１へ容易に脱着することができる。なお、第１の開口部２ａは、例えば、直径２ｍｍの円孔である。
【００１６】
カバー体３は、先端に粉末６の出口である出口開口部３ａを有すると共に、開口部１ａの外周壁１ｄに装着され、載置台２を覆うもので、出口開口部３ａに向かって先細りとなっている。カバー体３は、弾性変形できる部材、例えば、プラスティックで形成され、その弾性の程度は、手の指でカバー体３を押し、その押しを解除すれば、元に戻る程度である。
カバー体３は、望ましくは、透明又は半透明の部材によって構成されているのが良い。これは、透明又は半透明の部材によって構成されたカバー体３を介して粉末容器Ｃ内の「粉末６の残量、粉末６によるつまりの有無」等を確認することができるからである。
また、カバー体３の先端に設けられた出口開口部３ａは、例えば、漏斗状となってい
る。
なお、容器本体１と載置台２とカバー体３を着脱自在に構成しているのは、容器本体１に入れる粉末を新たな粉末に切り換える際、容器本体１、載置台２及びカバー体３を水等で洗浄し、洗浄後、乾燥した後、使用することができ、また、容器本体１のみを共通とし、載置台２及びカバー体３を新たなものを使用するようにしても良い。
また、出口開口部３ａは、例えば、直径３ｍｍの円孔である。
【００１７】
移動体４は、カバー体３内を移動し、第１の開口部２ａを開閉するもので、例えば、球状に形成されている。
なお、図３及び図４に示すように、移動体４を移動させることにより、第１の開口部２ａを開閉するため、粉末６が一度に流出しないようにカバー体３の内壁に当接（図３及び図４参照）して粉末６の量の調整を容易に行うことができる。
不足している場合には、容器本体１を図３に示す矢印方向に移動させて、所望の量に調節することができる。また、粉末６が詰まった場合も、容器本体１を図３に示す矢印方向に移動させて、粉末６の詰まりを容易に解消することができる。
【００１８】
蓋体５は、カバー体３を覆って、カバー体３の側面に当接して係止するもので、蓋体
５には、カバー体３の先端の出口開口部３ａの周縁部に当接して、出口開口部３ａを封止
（開口を閉鎖すること）する封止部５ａが設けられている。
また、５ｂは、図示しない衣服のポケットに係止させるためのクリップで、クリップ５ｂは蓋体５の外側に設けられている。なお、場合により、クリップ５ｂは省略しても良い。
開口部１ａの大きさ（例えば、直径６ｍｍ）＞出口開口部３ａの大きさ（例えば、直径３ｍｍ）＞第１の開口部２ａの大きさ（例えば、直径２ｍｍ）となっている。
【００１９】
従って、上述した図１乃至図４記載の粉末容器Ｃ（粉末の量の調整方法）によれば、移動体４により第１の開口部２ａを開閉するため、粉末６の量の調整を容易に行うことができる。
【符号の説明】
【００２０】
Ｃ      粉末容器
１      容器本体
１ａ    開口部
１ｂ    収納部
１ｃ    内周壁
１ｄ    外周壁
２      載置台
２ａ    第１の開口部
３      カバー体
３ａ    出口開口部
【図１】
2019218097.tif 000003
【図２】
2019218097.tif 000004
【図３】
2019218097.tif 000005
【図４】
2019218097.tif 000006